(57)【要約】【課題】非常時に快適に利用できるトイレ装置及び浮体式トイレを提供する。【解決手段】上部に開口した汚物受け部を有する便器と、前記便器に対して水平方向に所定の距離をとって配置した便槽と、前記汚物を前記便槽へ排出する排出路と、前記汚物受け部で受けた汚物を前記排出路へ押し出す押し出し機構と、を備えるトイレ装置。【選択図】図１
2015150024.tif 000002
【特許請求の範囲】
【請求項１】
上部に開口した汚物受け部を有する便器と、
前記便器に対して水平方向に所定の距離をとって配置した便槽と、
前記汚物を前記便槽へ排出する排出路と、
前記汚物受け部で受けた汚物を前記排出路へ押し出す押し出し機構と、
を備えるトイレ装置。
【請求項２】
前記押し出し機構が、
前記汚物受け部を経た汚物を一時的に溜めるシリンダー状の汚物溜め部と、
前記汚物溜め部内を摺動し、前記汚物溜め部内の前記汚物を押し出す押圧部材と、
を備える請求項１に記載のトイレ装置。
【請求項３】
前記押し出し機構が、
前記汚物受け部を経た汚物を一時的に溜める汚物溜め部と、
前記汚物溜め部の容積を縮めて前記汚物溜め部内の前記汚物を押し出す圧縮部と、
を備える請求項１に記載のトイレ装置。
【請求項４】
前記汚物受け部を上下に開口を有する筒状の部材で形成し、当該汚物受け部の下端開口を前記排出路と接続し、
前記押し出し機構が、
前記汚物受け部の下端開口よりも上部で、前記汚物受け部を外側から挟んで当該汚物受け部の内空を狭窄させる挟持部と、
前記汚物受け部挟んだ状態で前記挟持部を前記下端開口側へ下降させて前記汚物溜め部内の前記汚物を押し出す駆動部と、
を備える請求項１に記載のトイレ装置。
【請求項５】
請求項１から４の何れか１項に記載のトイレ装置を浮体上に設けた浮体式トイレ。
【発明の詳細な説明】
【技術分野】
【０００１】
本発明は、トイレ装置及び浮体式トイレに関する。
【背景技術】
【０００２】
従来、災害時など、既存のトイレが無い又は不足した場合には、応急的に簡易トイレを用いることがあった。
【０００３】
図２０は簡易トイレの一例を示す図である。図２０の簡易トイレ９０は、床９１を脚９２で支持して、この床９１に便器９３を設置し、便器９３の下方に便槽９４を設置している。そして、床９１の四隅に支柱９５を立設し、この支柱９５の上部に横架材９６を架け渡して直方体状の骨組みとし、この骨組みに幌９７をかけて、天面、背面、及び側面を覆い、正面に幌９８を開閉可能に吊り下げて出入り口としている。
【先行技術文献】
【特許文献】
【０００４】
【特許文献１】特開平０８−２２６２３９号公報
【発明の概要】
【発明が解決しようとする課題】
【０００５】
図２０の簡易トイレは、幌９７・９８で仕切られた便房内に便槽９４を備えており、便房内に臭いがこもり易いという問題があった。特に、図２０の簡易トイレは、災害等の非常事態が発生した際、所要の場所に運び、容易に組み立てて使用できるように、簡易な構成であることが望ましいため、使用者が使用する便器９３側の空間へ達する便槽９４側の臭いが抑えられるように便槽９４側の空間と便器９３側の空間を隔絶する構成をとることは困難であった。
【０００６】
また、従来の簡易トイレは、地上に設置することを想定しており、冠水した場所では使用できないという問題があった。例えば、図２０の簡易トイレを冠水した場所に設置しようとしても、便槽９４が水に浸かる状況では、便槽９４の浮力により、安定性を欠いてしまう。また、例え簡易トイレを重り等で固定できたとしても、水面が便槽９４より上にある状況では、便槽９４に周囲の水が浸入してしまうため使用することができない。
【０００７】
特に、大規模地震に伴って津波が発生した場合、地震によって上下水道が損傷して既存のトイレが使用できないことが多いため、冠水した場所でも使用できる簡易トイレが望まれている。例えば南海トラフの巨大地震に関する被害想定では、広範囲で浸水被害が発生し、浸水深１ｍ以上の浸水面積が６０，２４０ｈａ、浸水深１０ｍ以上の浸水面積が１０，０９０ｈａと推定されている。このような大規模な浸水被害が生じた場合、２週間にもわたり水が引かないこともあるため、簡易トイレを設置するにしても、ある程度の期間継続して使用できることが望まれる。
【０００８】
そこで、本発明は、非常時に快適に利用できるトイレ装置及び浮体式トイレの提供を目的とする。
【課題を解決するための手段】
【０００９】
本発明に係るトイレ装置は、
上部に開口した汚物受け部を有する便器と、
前記便器に対して水平方向に所定の距離をとって配置した便槽と、
前記汚物を前記便槽へ排出する排出路と、
前記汚物受け部で受けた汚物を前記排出路へ押し出す押し出し機構と、
を備える。
【００１０】
前記押し出し機構が、
前記汚物受け部を経た汚物を一時的に溜めるシリンダー状の汚物溜め部と、
前記汚物溜め部内を摺動し、前記汚物溜め部内の前記汚物を押し出す押圧部材と、
を備えても良い。
【００１１】
前記押し出し機構が、
前記汚物受け部を経た汚物を一時的に溜める汚物溜め部と、
前記汚物溜め部の容積を縮めて前記汚物溜め部内の前記汚物を押し出す圧縮部と、
を備えても良い。
【００１２】
前記トイレ装置は、
前記汚物受け部を上下に開口を有する筒状の部材で形成し、当該汚物受け部の下端開口を前記排出路と接続し、
前記押し出し機構が、
前記汚物受け部の下端開口よりも上部で、前記汚物受け部を外側から挟んで当該汚物受け部の内空を狭窄させる挟持部と、
前記汚物受け部挟んだ状態で前記挟持部を前記下端開口側へ下降させて前記汚物溜め部内の前記汚物を押し出す駆動部と、
を備えても良い。
【００１３】
本発明に係る浮体式トイレは、前記トイレ装置を浮体上に設けた。
【００１４】
なお、上記した課題を解決するための手段に記載の内容は、本発明の課題や技術的思想を逸脱しない範囲で可能な限り組み合わせることができる。
【発明の効果】
【００１５】
本発明によれば、非常時に快適に利用できるトイレ装置及び浮体式トイレを提供することができる。
【図面の簡単な説明】
【００１６】
【図１】図１は本実施形態１の浮体式災害用トイレの平面図である。
【図２】図２は図1のＡ−Ａ断面図である。
【図３】図３は図１のＢ−Ｂ断面図トイレの一例を示す機能ブロック図である。
【図４】図４は組み立て前の状態を示す図である。
【図５】図５は組み立て前の浮体式災害用トイレをベンチ及びテ−ブルとして利用した例である。
【図６】図６は組み立て前の浮体式災害用トイレをベンチ及びテ−ブルとして利用した例である。
【図７】図７はボートのみの状態を示す図である。
【図８】図８は、ボートに便器やフレームを取り付けた状態を示す図である。
【図９】図９は、フレームの組み立て方法の説明図である。
【図１０】図１０は、フレームにシートを取り付けた状態を示す図である。
【図１１】図１１は、幌をかけた状態を示す図である。
【図１２】図１２はトイレ装置の概略構成図である。
【図１３】図１３は便器及び押し出し機構を示す図である。
【図１４】図１４は便器の便座を閉じた状態を示す図である。
【図１５】図１５は押し出し機構の動作の説明図である。
【図１６】図１６は実施形態２に係るトイレ装置の概略構成図である。
【図１７】図１７は実施形態２に係る押し出し機構の操作の説明図である。
【図１８】図１８は実施形態３に係るトイレ装置の概略構成図である。
【図１９】図１９は実施形態３に係る押し出し機構の操作の説明図である。
【図２０】従来のトイレ装置の説明図である。
【発明を実施するための形態】
【００１７】
以下、本発明の実施の形態について、図面に基づいて説明する。なお、実施の形態は本発明の一例であり、本発明の構成は以下の例には限られない。
【００１８】
図１は本実施形態１の浮体式災害用トイレの平面図、図２は図1のＡ−Ａ断面図、図３
は図１のＢ−Ｂ断面図である。
【００１９】
図１〜図３に示すように本実施形態１の浮体式災害用トイレ１は、ボート２及び当該ボート上に設けた複数のトイレ装置３を有している。
【００２０】
ボート２は、平面形状が略矩形の舟底２１と、当該舟底の周囲に設けられた側壁２２，２３とを有する。ボート２の材質は、舟形に成形された状態で所定の浮力を得られるものであれば、ゴムやプラスチック、金属、木材等、特に限定されないが、本実施形態１ではゴムのようなエラストマーを用いている。
【００２１】
エラストマーからなる舟底２１の上側には、アルミ等からなる補強板２６を配置し、トイレ装置３の固定や舟上の歩行を容易にしている。
【００２２】
舟底２１の長辺に位置する側壁２２は、空気を充填して円筒状に膨らませたゴムフロートとしている。このように側壁２２に空気を充填して膨らませることで、長手にわたって形状を安定して保てるようにすると共に、例えボート２内に水が浸入した場合でも所定の浮力を確保できる構成としている。側壁２２（以下、フロート２２とも称す）は、ゴムフロートに限らず、プラスチック等の硬質の材料で中空に構成したフロートであっても、発泡スチロール等の比重の軽い材料で構成したフロートであっても良い。
【００２３】
なお、ボート２は、本実施形態１における浮体の一形態であり、所定の浮力が得られれば舟形に限らず、筏や、箱型の浮体（ポンツーン）であっても良い。
【００２４】
トイレ装置３は、便器３１や、便槽３２、排出路３３、押し出し機構３７（図３）を有している。また、トイレ装置３は、少なくとも便器３１の周囲に仕切りを設けて便房３８を構成している。本実施形態１では、後述のようにパイプを組み立てたフレーム２４に難燃性のシート３４，３５，３６を吊架又は張りわたして仕切りとしている。また、フレーム２４を含むボート２上部全体を覆うように、一方のフロート２２から他方のフロート２２へ幌２５を架け渡してボート２上にテントを構成している。幌２５は、風雨の影響を防ぐため、設置することが望ましいが、省略しても良い。
【００２５】
トイレ装置３の便槽３２は、便房３８の外側、特に本実施形態１ではボート２の外側、即ち幌２５の外側に配置され、フロート２２に固定されている。
【００２６】
便器３１の下方には押し出し機構３７が設けられ、当該押し出し機構３７が排出路３３の一端と接続され、排出路３３の他端が便槽３２内に固定されている。
【００２７】
トイレ装置３は、ボート２に複数設置でき、図１の例では５つのトイレ装置３を一列に
設置している。トイレ装置３の配置や数は、必要に応じて任意に設定でき、例えば図３Ａに示すように、トイレ装置３を二列に設置しても良い。
【００２８】
また、ボート２上には、消臭や防疫のための液体を供給する液体供給装置、例えば本実施形態１ではオゾン水供給ユニット４９や、電源ユニット４８を備えている。オゾン水供給ユニット４９は、水を電気分解するなどしてオゾン水を生成し、配管（不図示）を介して各トイレ装置３の便器３１内に供給する。
【００２９】
電源ユニット４８は、主にオゾン水供給ユニット４９で用いる電力を発生させる。なお、電源ユニット４８は、オゾン水供給ユニット４９に限らず、照明や換気扇等の機器（不図示）に電力を供給しても良い。電源ユニット４８は、所定の電力を供給できるものであれば、内燃機関を動力とする発電機や、燃料電池、太陽電池、バッテリー、これらの組み合わせ等、どのような構成のものであっても良い。
【００３０】
フレーム２４は、鋼管を使用時に連結して幌２５を保持する。また、フレーム２４は、トイレ装置３を仕切るシート３４−３６のフレームを兼ねている。フレーム２４は、シート３４−３６や幌２５を保持可能な剛性を有するものであれば、鋼管に限らず、金属やプラスチックのパイプ等、特の部材であっても良い。
【００３１】
図１〜図３に示した本実施形態１の浮体式災害用トイレ１は、組み立て式であり、図４は組み立て前の状態を示している。図４の例では、組み立て前のトイレ装置３やフレーム２４等の部品をボート２内に収納している。
【００３２】
また、組み立て前の浮体式災害用トイレ１は、公園等の屋外に設置しておき、平常時には図５のようにフロート２２をベンチとし、他の部品を収納した収納箱４１をテーブルとして利用しても良い。
【００３３】
なお、図６に示すように、図５の収納箱４１に代えて、アルミの補強板２６を天板とし、フレーム２４の上部を脚として仮に組み付けてテーブルとしても良い。このとき、トイレ装置３や幌２５等を含む他の部品４２はテーブルの下に収納する。なお、浮体式災害用トイレ１として組み立てる場合には、補強板２６をフレーム２４の上部から外して舟底２１上に戻す。図６の例であれば、フレームの上部を組み立てた状態で保持できるので、使用時の組み立てが容易となる。
【００３４】
次に図７〜図１１を用いて浮体式災害用トイレ１の組み立て方法について説明する。図７は、組み立て前のボート２を示す図である。図７のボート２は、舟底２１上にアルミの補強板２６を設けただけの状態である。なお、この状態で、発災直後の被災者救助や物資の運搬等に用いることもできる。
【００３５】
図８は、ボート２に便器３１やフレーム２４等を取り付けた状態を示す図である。先ず、各便器３１の下方に設けた押し出し機構３７に、排出路３３を接続し、これらの便器３１を一方のフロート２２に沿って並ぶように補強板２６上の所定位置に固定する。なお、便器３１の固定方法は特に限定されるものではなく、例えば便器３１の脚部の下端を補強板２６に対して螺子止めする。或は嵌合用の凹部を補強板２６に設けておき、便器３１の脚部の下端を当該凹部に嵌合させる。各便器３１の固定は、補強板２６に限らず、フロート２２に固定する構成であっても良い。
【００３６】
また、便槽３２をボート２の外側であってフロート２２を挟んで便器３１と対向する位置に配置し、フロート２２に固定する。
【００３７】
そして、排出路３３の押し出し機構３７と接続した端部と反対側、即ち汚物の排出側の端部を便槽３２内に挿入して固定する。
【００３８】
また、フレーム２４を組み立てて補強板２６やフロート２２に固定する。フレーム２４は、図９に示すように、テントの梁となる上部パイプ２４１の下方向の連結部２４１Ａに対して、当該連結部２４１Ａの内径より僅かに細い外径とした支柱２４２の縮径部２４２Ａを挿入することで上部パイプ２４１と支柱２４２を連結し、同様に支柱２４２の下端に支柱２４３を連結してアーチ形とする。
【００３９】
更に、上部パイプ２４１の横方向の連結部２４１Ｂに対して、テントの桁となる横架パイプ２４４を連結する。なお、上部パイプ２４１の連結部２４１Ｂは、テントの長手方向端部に位置する上部パイプ２４１では片側、それ以外の上部パイプでは両側に設けられている。このためアーチ状のパイプ２４１−２４３に横架パイプ２４４を連結し、この横架パイプ２４４の他端に、またアーチ状のパイプ２４１−２４３に対し、これを繰り返して図８のようにアーチ状のパイプ２４１−２４３を長手方向に８つ横架パイプ２４４を介して連設する。そして、各支柱２４３の下端をアルミ補強板２６及びフロート２２に固定する。
【００４０】
なお、平常時に図６に示したようにフレーム２４の上部をテーブルの脚として利用する場合には、図８のフレーム２４から下側の支柱２４３を外した状態とし、非常時に下側の支柱２４３を取り付けて所定の高さとする。このように本実施形態１では、支柱２４３，２４４を上下２分割で構成したが、平常時にテーブルとして利用しないのであれば、支柱を上下に分割しなくても良い。
【００４１】
次にフレーム２４に各トイレ装置３を仕切るシート３４-３６を取り付ける。図１０は
、フレーム２５にシート３４-３６を取り付けた状態を示す図である。
【００４２】
図１０に示すように、各トイレ装置３の左右方向の側面及び背面には、ポリ塩化ビニル製のシート３４，３５をフレーム２４に張設し、各トイレ装置３の正面の横架パイプ２４４にシート３６を吊架して仕切り、夫々の便房３８を構成する。
【００４３】
便房３８の正面の仕切りは、シート３６を開閉可能に吊架して出入り口とし、図２に示すように、仕切りの上部に通気ネット３６１を設けて通気性を確保し、便房３８内に臭気や熱気が溜まることを防いでいる。なお、通気ネット３６１の便房内側には、目隠し用のシートが開閉可能に設けられている。
【００４４】
そして、フレーム２４を上部から覆うように幌２５をかけて、ボート２上にテントを構成する。図１１は、幌２５をかけて、ボート２上にテントを構成した状態を示す図である。幌２５は、下端をフロート２２に固定し、ボート２の長手端部側を出入り口としている。
【００４５】
次に図１２〜図１５を用いてトイレ装置３の詳細について説明する。図１２はトイレ装置３の概略構成図、図１３は便器３１及び押し出し機構３７を示す図、図１４は便器３１の便座を閉じた状態を示す図、図１５は押し出し機構３７の動作の説明図である。
【００４６】
図１２に示すように、本実施形態１のトイレ装置３は、便器３１をボート２上のフロート２２と隣接した位置に設け、このフロート２２を挟んで便器３１と反対側の位置に便槽３２を配置して、この便槽３２をフロート２２に固定している。
【００４７】
なお、便槽内に排出される汚物は液体の割合が高いため、便槽３２に固液分離装置３２
１を設けて、汚物から液体を分離して便槽外へ排出し、固体分のみを便槽内に残すことで、便槽３２から汚物を汲み取ることなく長期間利用することができる。なお、分離した液体分は、取着可能な容器（不図示）に溜め、一杯になったら容器を取り換える構成としても良い。
【００４８】
なお、便槽３２は、汚物を収容できるために中空の箱体となっており、フロートと同様、水に入れた場合に大きな浮力が得られる。従って、図１２に示すように便槽３２をボート側壁（フロート２２）外側（水面側）に固定した場合、フロートと同様の浮力が得られ、便槽３２をボート２のサイドフロートとして機能させることができる。
【００４９】
例えば図１に示すように、便器３１をボート２の片側のフロート２２に沿って並べて配置した場合、各便座３１に使用者が着座すると、各使用者の体重が、ボート２の片側に集中することになり、これら使用者を含むボート２全体の重心が便器３１を配列した側に偏ることになるが、当該便器３１を配置した側に設けた便槽３２が、サイドフロートとして機能することにより、使用者の体重が集中した側に沈み込むことを抑え、ボート２の挙動を安定させることができる。
【００５０】
また、便器３１下方には、押し出し機構３７が設けられ、この押し出し機構に排出路３３の一端が接続され、フロート２２の上を通して排出路３３の他端が便槽３２内に挿入され、便器３１で受けた汚物を押し出し機構３７が排出路３３へ押し出し、排出路３３を介して便槽３２へ排出する。
【００５１】
本実施形態１の便器３１と便槽３２とは、略同じ高さに設けられており、従来の簡易トイレのように汚物が自重で便槽３２へ流れるものでは無い。これは水害時でも利用できるように、浮体上に便器３１を設置したためである。
【００５２】
例えば、図２０のように便器の下に便槽を設けた従来のトイレ装置を浮体上に設置しようとすると、浮体の上に便槽と便器が載り、その上に使用者が座ることになるため、重心が高くなり、水に浮いた状態で安定させるのが難しくなってしまう。
【００５３】
また、ボートの上に便器を設け、舟底に穴を開けて排水管を通し、その下に設けた便槽と接続することも考えられるが、便槽をボートの下に取り付けると、便槽が水中の物体と接触して座礁する恐れがある。
【００５４】
そこで、本実施形態１のトイレ装置３では、便器３１と便槽３２とを略同じ高さに設置し、便器３１の汚物を押し出し機構３７で押し出して便槽３２へ排出する構成とした。
【００５５】
便器３１は、上面３１１を脚３１２で支持し、上面３１１に略楕円形の開口３１３を有し、この開口部３１３に、筒状の汚物受け部３１４を垂下している。
【００５６】
汚物受け部３１４は、上部から下部にかけて徐々に径を細くした楕円錐状の外径をなし、汚物受け部３１４の下端が押し出し機構３７と接続している。
【００５７】
本実施形態１の汚物受け部３１４は、ポリ塩化ビニル等の柔軟な素材で形成されているが、金属やプラスチック等の硬質な素材であっても良い。
【００５８】
また、上面３１１上には、オゾン水供給ユニット４９からオゾン水が供給される配管４９１が配され、使用者が配管４９１の途中部に接続されたバルブ４９２を開くと、オゾン水が汚物受け部３１４内に供給される。なお、本実施形態１では、オゾン水を供給する例を示したが、消臭剤や消毒液等の薬剤を供給するようにしても良い。
【００５９】
押し出し機構３７は、シリンダ状の汚物溜め部３７１や、汚物溜め部３７１の排出側端部に設けた逆止弁３７２、汚物溜め部３７１内の汚物を逆止弁３７２側へ押し出すピストン（押圧部材）３７３、ピストン３７３を進退動させる駆動部３７４を有している。
【００６０】
汚物溜め部３７１は、汚物受け部３１４の下端と接続され、使用中に汚物受け部３１４で受けた汚物が落下して一時的に汚物溜め部３７１内に溜まるようになっている。
【００６１】
汚物溜め部３７１の排出側先端部には、逆止弁３７２を介して排出路３３が接続され、ピストン３７３が駆動部３７４によって先端側へ駆動されると、ピストン３７３が汚物溜め部３７１内の汚物を先端側へ移動させ、逆止弁３７２を越して排出路３３へ排出する。
【００６２】
逆止弁３７２は、排出する方向にのみ開く弁であり、ピストン３７３が押されている状態ではピストン３７３の圧力によって排出路３３側へ開き、ピストン３７３が押されていない状態では閉じて、汚物が逆流することを防止している。なお、逆止弁３７２は、弾性体で構成され、ピストン３７３による圧力がかっていない場合に、その弾性力によって閉じた状態に保持される構成でも良いし、自重によって閉じた状態に保持される構成でも良いし、ばね等の付勢手段によって閉じた状態に保持される構成であっても良い。
【００６３】
また、駆動部３７４は、回転軸７４１が不図示の軸受けによって回転可能に保持され、回転軸７４１の一端にペダル７４２が固設され、他端に回転片７４３が固設されている。この回転片７４３の回転軸７４１に固設されていない側の端部７４３ａは、ピストン３７３のロッド部３７３ａと連結している。また、ロッド部３７３ａの周囲には、ばね７４４が設けられ、ロッド部３７３ａを退動させる方向に付勢している。
【００６４】
使用者が、ペダル７４２を踏むと、ペダル７４２が回転軸７４１を中心に回転し、同様に回転片７４３が回転する。この回転に伴って、回転片７４３の端部７４３ａと連結したロッド部３７３ａが汚物溜め部３７１内に押し込まれる。即ち、ピストン３７３が排出方向に押し出される。なお、使用者がペダル７４２から足を離すと、回転片７４３の回転によって押し縮められたばね７４４が、回転片７４３を押し戻し、これによりピストン３７３（ロッド部３７３ａ）が退動する。
【００６５】
図１５（ａ）に示すように、使用者が用を足すと、汚物が汚物受け部３１４を介して一時的に汚物溜め部３７１内に溜まる。
【００６６】
使用後、使用者がペダル７４２を踏むと、図１５（ｂ）に示すように、ピストン３７３が押されて汚物溜め部３７１内の汚物を先端側へ移動させ、逆止弁３７２を越して排出路３３へ排出する。
【００６７】
そして、使用者がペダル７４２から足を離すと、図１５（ｃ）に示すように、前述のばね７４４の付勢力によって、ピストン３７３（ロッド部３７３ａ）が退動する。
【００６８】
このように本実施形態１によれば、汚物を押し出し機構によって押し出して排出できるので、排水路に勾配を付ける必要が無く、トイレ装置３を設置する際の自由度が高いので、浮体式トイレ装置を適切に構成できる。
従って、水害などの災害時でも快適に利用できる簡易トイレを提供することができる。
【００６９】
〈実施形態２〉
前述の実施形態１では、汚物溜め部の汚物をピストンで押し出す構成を示したが、本実施形態２では、汚物溜め部を押し縮めることで、汚物溜め部内に存在する汚物を排出する
構成としている。その他の構成は、前述の実施形態１と同じであるため、同一の部材には同符号を付すなどして再度の説明を省略する。
【００７０】
図１６は、本実施形態２に係るトイレ装置３の概略構成図である。本実施形態２の押し出し機構３７は、蛇腹状の汚物溜め部３８１や、開閉部３８２、逆止弁３８３、圧縮部３８４を有している。
【００７１】
汚物溜め部３８１は、側面が蛇腹状に形成され、上下方向に圧縮可能に構成されている。また、汚物溜め部３８１の側面の下部には、逆止弁３８３が設けられている。
【００７２】
開閉部３８２は汚物受け部３１４の下端の開口を開閉する部材であり、ばね等の付勢手段により弱い力で閉じた状態に付勢されている。このように開閉部３８２は、弱い付勢力で閉じているので、汚物受け部３１４から汚物が落下して開閉部３８２上に載ると、この汚物の重みによって開閉部３８２が開き、当該汚物は汚物溜め部３８１に溜まる。なお、汚物が汚物溜め部に入り、開閉部３８２への加重が無くなると開閉部３８２は付勢手段の付勢力によって閉じた状態に復帰する。
【００７３】
圧縮部３８４は、ペダル３８５を支点３８５ａで揺動自在に支持し、ペダル３８５の正面側端部３８５ｂを押し下げると、他端３８５ｃが汚物溜め部３８１の底部を押し上げることで汚物溜め部３８１を圧縮する。
【００７４】
図１７（ａ）に示すように、使用者が用を足し、汚物が開閉部３８２に載ると開閉部３８２が開いて前記汚物が汚物溜め部３７１内に落ちて溜まり、開閉部３８２は閉じた状態に戻る。
【００７５】
使用後、使用者がペダル３８５を踏むと、図１７（ｂ）に示すように、ペダル３８５後端３８５ｃが汚物溜め部３８１の底部を押し上げ、蛇腹部を縮めて汚物溜め部３８１を圧縮し、汚物溜め部３７１内の汚物を排出路３３へ押し出す。
【００７６】
そして、使用者がペダル３８５から足を離すと、図１７（ｃ）に示すように、汚物溜め部３８１の蛇腹部が伸び、汚物溜め部３８１の底部が下降して、ペダル３８５が戻る。
【００７７】
このように本実施形態２によれば、前述の実施形態１と同様に汚物を押し出し機構によって押し出して排出できるので、排水路に勾配を付ける必要が無く、トイレ装置３設置する際の自由度が高いので、浮体式トイレ装置を適切に構成できる。
従って、水害などの災害時でも快適に利用できる簡易トイレを提供することができる。
【００７８】
〈実施形態３〉
前述の実施形態１では、汚物溜め部の汚物をピストンで押し出す構成を示したが、本実施形態３では、汚物受け部を外部から挟み、この挟み付けた部分を排出路側へ下降させて汚物受け部内の汚物を排出する構成としている。その他の構成は、前述の実施形態１と同じであるため、同一の部材には同符号を付すなどして再度の説明を省略する。
【００７９】
図１８は、本実施形態３に係るトイレ装置３の概略構成図である。本実施形態３の押し出し機構３７は、汚物受け部３１４を挟むローラ（挟持部）３９１や、ローラ３９１を駆動する駆動部３９２を有している。
【００８０】
駆動部３９２は、上下動可能に支持されたペダル３９９とペダル３９９を上方へ付勢するばね３９８を輸している。
【００８１】
ローラ（挟持部）３９１は、Ｌ字のアーム３９１ａや、アーム３９１ａに回転可能に保持された回転体３９１ｂを有している。
【００８２】
ローラ（挟持部）３９１は、アーム３９１ａが支点３９１ｃで回転可能に軸支され、更に、この支点３９１ｃが上下動可能に支持されている。また、アーム３９１ａの端部３９１ｄがペダル３９９と連結されている。
【００８３】
図１９（ａ）に示すように、ペダル３９９を踏んでいないときは、ローラ３９１が開いた状態であり、この状態で使用者が用を足すと汚物が汚物受け部３１４の下部に溜まる。
【００８４】
使用後、使用者がペダル３９９を踏み、ばね３９８に抗してペダル３９９を押し下げると、ペダル３９９と連結されたアーム端部３９１ｄが下がりローラ３９１が支点３９１ｃを中心に内側へ回動し、図１９（ｂ）に示すように汚物受け部３１４を外側から挟みこむ。
【００８５】
この状態で更にペダル３９９を下げると、ローラ３９１が汚物受け部３１４を挟持したまま図１９（ｃ）に示すように下降し、汚物受け部３１４内の汚物を排出路３３へ押し出す。
【００８６】
そして、使用者がペダル３９９から足を離すと、ばね３９８によりペダル３９９が持ち上げられ、、ペダル３９９と連結されたアーム端部３９１ｄが上がりローラ３９１が支点３９１ｃを中心に外側へ回動し、図１９（ｄ）に示すようにローラ３９１が開いた状態に戻る。
【００８７】
このように本実施形態３によれば、前述の実施形態１と同様に汚物を押し出し機構によって押し出して排出できるので、排水路に勾配を付ける必要が無く、トイレ装置３設置する際の自由度が高いので、浮体式トイレ装置を適切に構成できる。
【００８８】
従って、水害などの災害時でも快適に利用できる簡易トイレを提供することができる。
【符号の説明】
【００８９】
１     浮体式災害用トイレ
２     ボート
３     トイレ装置
【図１】
2015150024.tif 000003
【図２】
2015150024.tif 000004
【図３】
2015150024.tif 000005
【図４】
2015150024.tif 000006
【図５】
2015150024.tif 000007
【図６】
2015150024.tif 000008
【図７】
2015150024.tif 000009
【図８】
2015150024.tif 000010
【図９】
2015150024.tif 000011
【図１０】
2015150024.tif 000012
【図１１】
2015150024.tif 000013
【図１２】
2015150024.tif 000014
【図１３】
2015150024.tif 000015
【図１４】
2015150024.tif 000016
【図１５】
2015150024.tif 000017
【図１６】
2015150024.tif 000018
【図１７】
2015150024.tif 000019
【図１８】
2015150024.tif 000020
【図１９】
2015150024.tif 000021
【図２０】
2015150024.tif 000022